(57)【特許請求の範囲】
【請求項１】
郵便受箱と、
前記郵便受箱に取り付けられ、前記郵便受箱の周囲の環境情報を検出するセンサと、
前記センサで検出した前記環境情報を前記郵便受箱の外部に送信する通信部とを備え、
前記郵便受箱の下面は、前記郵便受箱の設置状態において外部に露出する露出部を含み、
前記センサが前記露出部に取り付けられた郵便受けであって、
前記郵便受箱は、前記郵便受箱の前後方向における一部が設置部に埋め込まれた状態で設置可能であり、
前記郵便受箱は、前後方向における前記一部が前記設置部に埋め込まれた状態で設置されたときに前記設置部から後方に突出する突出部を有し、
前記突出部の下面が、前記露出部であり、
前記センサが前記突出部の下面に取り付けられたことを特徴とする郵便受け。
【請求項２】
前記郵便受箱の底部において少なくとも前記露出部に対応する部分が、合成樹脂製であることを特徴とする請求項１に記載の郵便受け。
【請求項３】
郵便受けと、
前記郵便受けから離れた位置で用いられる外部機器とを具備し、
前記郵便受けは、
郵便受箱と、
前記郵便受箱に取り付けられ、前記郵便受箱の周囲の環境情報を検出するセンサと、
前記センサで検出した前記環境情報を前記郵便受箱の外部に送信する第１通信部とを備え、
前記外部機器は、
前記第１通信部から送信された前記環境情報を受信する第２通信部を有し、
前記外部機器は前記第２通信部で受信した前記環境情報に基づいて処理を実行する機器であり、
前記郵便受箱の下面は、前記郵便受箱の設置状態において外部に露出する露出部を含み、
前記センサが前記露出部に取り付けられ、
前記郵便受箱は、前記郵便受箱の前後方向における一部が設置部に埋め込まれた状態で設置可能であり、
前記郵便受箱は、前後方向における前記一部が前記設置部に埋め込まれた状態で設置されたときに前記設置部から後方に突出する突出部を有し、
前記突出部の下面が、前記露出部であり、
前記センサが前記突出部の下面に取り付けられたことを特徴とするセンサ利用システム。
【発明の詳細な説明】
【技術分野】
【０００１】
本発明は郵便受け及びセンサ利用システムに関する。
【背景技術】
【０００２】
特許文献１には、サインポストに灯具と色パネルと制御部とが内蔵された照明付きサインポストが開示されている。色パネルは、筒体であり、灯具の回りに回転自在に設けられている。色パネルは、透光性材料から形成されており、色調が連続的に変化している。サインポストの前面には、外気温を検知する温度センサが装着されている。制御部は、色パネルを駆動する駆動装置を有している。制御部は、灯具からの光が色パネルを通って外気温に応じた色に発光するように、温度センサで検知した温度に応じて色パネルを回転駆動する。
【先行技術文献】
【特許文献】
【０００３】
【特許文献１】実開平５−７１８３号公報
【発明の概要】
【発明が解決しようとする課題】
【０００４】
ところで、前述の照明付きサインポストは、温度センサにより検出した、サインポストの周囲の環境情報を、サインポストから離れて用いられる外部機器で利用できない。また、温度センサは、サインポストの前面に設けられているため、日光や雨等の影響を受けやすく、サインポストの周囲の環境情報を正確に検出することが難しいという課題もある。
【０００５】
本発明は前記事情に鑑みてなされたものであって、郵便受箱の周囲の環境情報を正確に検出でき、この検出した環境情報を郵便受箱の外部の機器で有効に利用できる郵便受け及びセンサ利用システムを提供することを目的とする。
【課題を解決するための手段】
【０００６】
前記目的を達成するために本発明の郵便受けは、郵便受箱と、前記郵便受箱に取り付けられ、前記郵便受箱の周囲の環境情報を検出するセンサと、前記センサで検出した前記環境情報を前記郵便受箱の外部に送信する通信部とを備え、前記郵便受箱の下面は、前記郵便受箱の設置状態において外部に露出する露出部を含み、前記センサが前記露出部に取り付けられたことを特徴とする。
【０００７】
また、本発明のセンサ利用システムは、郵便受けと、前記郵便受けから離れた位置で用いられる外部機器とを具備し、前記郵便受けは、郵便受箱と、前記郵便受箱に取り付けられ、前記郵便受箱の周囲の環境情報を検出するセンサと、前記センサで検出した前記環境情報を前記郵便受箱の外部に送信する第１通信部とを備え、前記外部機器は、前記第１通信部から送信された前記環境情報を受信する第２通信部を有し、前記外部機器は前記第２通信部で受信した前記環境情報に基づいて処理を実行する機器であり、前記郵便受箱の下面は、前記郵便受箱の設置状態において外部に露出する露出部を含み、前記センサが前記露出部に取り付けられたことを特徴とする。
【発明の効果】
【０００８】
本発明に係る郵便受け及びセンサ利用システムは、郵便受箱の周囲の環境情報を正確に検出でき、この検出した環境情報を郵便受箱の外部の機器で有効に利用できる。
【図面の簡単な説明】
【０００９】
【図１】図１は、本発明の実施形態の郵便受けを門柱に設置した状態を示した正面図である。
【図２】図２は、前記郵便受けが備える郵便受箱の斜視図である。
【図３】図３は、前記郵便受箱の下側から見た斜視図である。
【図４】図４は、前記郵便受けを門柱に設置した状態を示した側面図である。
【図５】図５は、前記郵便受けを含むセンサ利用システムのブロック図である。
【発明を実施するための形態】
【００１０】
以下で示す発明は、郵便受け及びセンサ利用システムに関し、詳しくは、環境情報を検出するセンサを備えた郵便受け及びこの郵便受けを具備したセンサ利用システムに関する。
【００１１】
本実施形態の郵便受け１は、例えば図１に示されるように、屋外に設けられた設置部に一部を埋め込んだ状態で設置される。図１に示された設置部は、建物の外溝として設けられた門柱９であり、地面に立てた状態で設けられている。
【００１２】
以下では、郵便受け１が門柱９に設置された状態における方向を用いて説明する。具体的には、郵便受け１の建物側を後方、郵便受け１の建物とは反対側を前方とし、郵便受け１を前方から見て左側を左方として説明する。
【００１３】
郵便受け１は、郵便受箱２を備えている。図２及び図３に示されるように、本実施形態の郵便受箱２は、投入部２２と、収納部２３とを有している。投入部２２は郵便受箱２の前端部を構成し、矩形箱状に形成されている。収納部２３は、投入部２２から後方に突出しており、前方から見て投入部２２よりも小さい矩形箱状に形成されている。
【００１４】
投入部２２の前面部（郵便受箱２の前面部）には、前後方向に貫通した投入口２０が形成されている。郵便物は投入口２０を通じて郵便受箱２の内部に投入される。このように投入口２０から郵便受箱２に投入された郵便物は、収納部２３に収納される。
【００１５】
収納部２３の後面部（郵便受箱２の後面部）には、前後方向に貫通した取出口２１（図４参照）が形成されている。図４に示されるように、収納部２３の後端部には、取出口２１を閉塞する開閉可能な蓋２４が取り付けられている。収納部２３に収納された郵便物を取り出すには、蓋２４を開いて取出口２１を開放し、この取出口２１から郵便物を取り出せばよい。
【００１６】
郵便受箱２の前後方向の一部は、門柱９に埋め込まれる埋込部２５となっている。本実施形態の埋込部２５は、収納部２３の前部で構成されている。
【００１７】
郵便受箱２は、埋込部２５が門柱９に埋め込まれた状態で設置されたときに門柱９から後方に突出する突出部２６を有している。本実施形態の突出部２６は、収納部２３の後部である。
【００１８】
郵便受箱２の突出部２６の下面は、埋込部２５が門柱９に埋め込まれた状態で郵便受箱２が設置されたときに、外部に露出する露出部３１となっている。すなわち、郵便受箱２の下面は、埋込部２５が門柱９に埋め込まれた状態で設置されたときに、外部に露出する露出部３１を含んでいる。
【００１９】
郵便受箱２の底部において少なくとも露出部３１に対応する部分は、合成樹脂製である。本実施形態では、収納部２３の底部２７の全体が合成樹脂製である。
【００２０】
本実施形態の郵便受け１は、郵便受箱２に取り付けられたセンサ装置４をさらに備えている。センサ装置４は、ケーシング４０と、センサ４２（図５参照）と、制御部４１（図５参照）と、電池４３（図５参照）と、通信部５１とを有している。
【００２１】
ケーシング４０は、センサ装置４の外殻を構成し、扁平な箱状に形成されている。ケーシング４０には、図５に示される、センサ４２と制御部４１と電池４３と通信部５１とが内蔵されている。
【００２２】
図３に示されるように、郵便受箱２の露出部３１（突出部２６の下面）には、嵌込溝２８が形成されている。嵌込溝２８は、センサ装置４（センサ４２）を取り付けるための取付部を構成する。
【００２３】
嵌込溝２８は、収納部２３の底部２７の下面において、後端部の左右方向における中央部に位置している。本実施形態では、収納部２３の底部２７の下面において、嵌込溝２８を除く部分に格子状の補強リブ２９が形成されており、補強リブ２９の一部により嵌込溝２８の周壁が構成されている。
【００２４】
図４に示されるように、ケーシング４０は、嵌込溝２８に嵌め込まれている。これにより、センサ装置４は郵便受箱２に取り付けられている。
【００２５】
郵便受け１は、郵便受箱２の埋込部２５が門柱９に埋め込まれた状態で、門柱９に設置される。このように郵便受け１が門柱９に設置されたとき、郵便受箱２の投入部２２は、門柱９から前方に突出する。また、突出部２６（収納部２３の後部）は、門柱９から後方に突出し、突出部２６の下面に取り付けられたセンサ装置４は、門柱９の外部に露出する。
【００２６】
郵便受け１のセンサ４２は、郵便受箱２の周囲の環境情報を検出する。センサ４２は、例えば環境情報として、気温、湿度、照度、及び気圧のうちの少なくとも１つ以上の環境情報を検出する。
【００２７】
本実施形態のセンサ４２は、センサ素子として、温度センサ、湿度センサ、照度センサ、及び圧力センサを有しており、環境情報として、気温、湿度、照度、及び気圧を一定時間毎に検出する。
【００２８】
ケーシング４０の内部は、例えばケーシング４０に形成された通気孔を介してケーシング４０の外部に通じることが好ましい。センサ４２によりケーシング４０の外部の環境情報をより正確に検出できるからである。
【００２９】
図５に示されるように、センサ４２はプロセッサ４４及びメモリ４５を有する制御部４１に電気的に接続されている。制御部４１には、電池４３と通信部５１とが電気的に接続されている。
【００３０】
電池４３は１次電池であって、制御部４１、センサ４２及び通信部５１の電源として利用される。第１制御部４１は、センサ４２で検出された環境情報を第１通信部５１から外部に送信する。
【００３１】
本実施形態のセンサ利用システムは、前述した郵便受け１に加えて、郵便受け１から離れた位置で用いられる外部機器を具備している。外部機器は、センサ４２で検出した、屋外の環境情報に基づいて処理を実行する機器である。本実施形態の外部機器は、携帯端末６であり、詳しくはスマートフォンである。
【００３２】
携帯端末６は、図５に示されるように、ディスプレイ６０と、制御部６２と、通信部７２と、電池６１とを有している。
【００３３】
以下、センサ装置４の制御部４１を第１制御部４１といい、携帯端末６の制御部６２を第２制御部６２という。また、センサ装置４の通信部５１を第１通信部５１といい、携帯端末６の通信部７２を第２通信部７２という。
【００３４】
第２制御部６２は、プロセッサ６３及びメモリ６４を有している。ディスプレイ６０と第２通信部７２と電池６１は、第２制御部６２に電気的に接続されている。電池４３は２次電池であって、第２制御部６２、ディスプレイ６０及び第２通信部７２の電源として利用される。
【００３５】
第２通信部７２は、例えばブルートゥース（登録商標）や無線ＬＡＮ等を利用して第１通信部５１と無線通信を行う。
【００３６】
第２制御部６２のメモリ６４には、郵便受け１のセンサ４２により検出した環境情報をディスプレイ６０に表示するアプリケーションがインストールされている。
【００３７】
利用者により携帯端末６が操作されて、第２制御部６２により前記アプリケーションが実行されると、第２制御部６２は、第１通信部５１から送信された環境情報を第２通信部７２で受信し、この環境情報をディスプレイ６０に表示する。利用者は、このようにディスプレイ６０に表示された環境情報を見ることで、例えば前記建物の中に居ながらにして、郵便受け１の周囲の環境情報を確認できる。また、本実施形態のように、環境情報として、気温、湿度、照度、及び気圧を検出する場合には、利用者は、天候情報を総合的に確認することができる。
【００３８】
また、本実施形態のセンサ４２を含むセンサ装置４は、図４に示されるように、郵便受箱２の門柱９から後方に突出する突出部２６に取り付けられている。このため、センサ４２が郵便受箱２の埋込部２５に取り付けられる場合と比較して、センサ４２による環境情報の検出が正確に行われる。
【００３９】
また、本実施形態のセンサ４２を含むセンサ装置４は、突出部２６の下面に取り付けられており、突出部２６の下方に位置している。このため、センサ４２は日光や雨等の影響を受け難く、この点でも郵便受箱２の周囲の環境情報を正確に検出できる。
【００４０】
なお、センサ装置４のケーシング４０は、例えば嵌込溝２８に嵌め込まれた状態で、ビス等の固着具や、接着剤等を用いて郵便受箱２に固定されてもよい。また、センサ４２が取り付けられる取付部は、嵌込溝２８に制限されず、例えば突出部２６の下面に形成された段部等であってもよい。また、突出部２６の下面を平面とし、この平面にセンサ４２を取り付けてもよい。
【００４１】
また、本実施形態のセンサ４２は、ケーシング４０が取付部に取り付けられることにより郵便受箱２に対して固定されており、すなわち、センサ４２はケーシング４０を介して取付部に取り付けられている。しかし、センサ４２は、取付部に直接取付けられてもよい。
【００４２】
また、本実施形態の外部機器は、スマートフォンであるが、タブレットや携帯電話等の携帯端末であってもよく、また、前記建物の屋内に設けられた情報モニターやテレビであってもよい。また、第１通信部５１と第２通信部７２の通信は、直接行われてもよいし、中継器を介して行われてもよい。また、第１通信部５１と第２通信部７２の通信は、有線通信であってもよい。また、センサ４２の電源は、電池４３に限られず、商用電源等の外部電源であってもよい。
【００４３】
また、例えば郵便受箱２に照明装置等の電気機器が設けられるときには、この電気機器を外部電源に接続する必要がある。このため、センサ４２の電源として外部電源を利用する場合には、電気機器と外部電源とを接続する電線を利用して、センサ４２と外部電源とを接続してもよい。
【００４４】
また、センサ４２で検出した環境情報に基づいて、外部機器を制御するようにしてもよい。すなわち、外部機器は、郵便受け１から離れた位置で利用され、センサ４２で検出された環境情報に基づいて何らかの処理を行う機器であればよい。具体的に外部機器は、前記建物の室内照明や、屋外照明、前記建物内に入る外光の量を自動調節するブラインド装置、自動水やり装置、洗濯物自動取入装置等であってもよい。
【００４５】
また、センサ４２が検出する環境情報には、高度、磁気、音声等の環境情報が含まれてもよい。
【００４６】
また、郵便受け１の設置部は、門柱９に限られず、塀や壁等であってもよい。また、本実施形態の郵便受箱２は、前端部（投入部２２）が設置部より前方に突出した状態で設置されるが、突出部２６以外の全部が設置部に埋め込まれた状態で設置されてもよい。また、本実施形態の郵便受箱２は、前後方向の一部が設置部に埋め込まれた状態で設置されるが、全体が露出した状態で設置される郵便受箱であってもよい。
【００４７】
また、郵便受箱２は、全体が合成樹脂製であってもよいし、収納部２３の底部２７のみ、あるいは突出部２６の底部のみが合成樹脂製であってもよい。
【００４８】
以上説明した本実施形態の郵便受け１は、以下の構成を有している。郵便受箱２と、センサ４２と、通信部５１（第１通信部５１）とを備える。センサ４２は、郵便受箱２に取り付けられ、郵便受箱２の周囲の環境情報を検出する。通信部５１は、センサ４２で検出した環境情報を郵便受箱２の外部に送信する。郵便受箱２の下面は、郵便受箱２の設置状態において外部に露出する露出部３１を有する。センサ４２が露出部３１に取り付けられる。
【００４９】
この構成を有する郵便受け１は、センサ４２が郵便受箱２の露出部３１に設けられるため、センサ４２を用いて、郵便受箱２の周囲の屋外の環境情報を正確に検出できる。また、センサ４２は、郵便受箱２の下面に取り付けられるため、日光や雨等の影響を受け難く、この点でも郵便受箱２の周囲の環境情報を正確に検出できる。また、センサ４２に雨がかかり難くなり、センサ４２の防水対策を簡素化したり省略したりできる。また、このようにセンサ４２で検出された環境情報は、通信部５１によって郵便受箱２の外部に送信できる。したがって、本実施形態の郵便受け１は、郵便受箱２の周囲の環境情報を正確に検出でき、この検出した環境情報を郵便受箱２の外部の機器で有効に利用できる。
【００５０】
また、本実施形態の郵便受け１は、以下の付加的な構成を有している。郵便受箱２は、郵便受箱２の前後方向における一部（埋込部２５）が設置部（門柱９）に埋め込まれた状態で設置可能である。郵便受箱２は、郵便受箱２の前後方向における一部が設置部に埋め込まれた状態で設置されたときに設置部から後方に突出する突出部２６を有する。突出部２６の下面が、露出部３１である。
【００５１】
この構成を有する郵便受け１は、郵便受箱２の前後方向における一部を設置部に埋め込んだ状態で設置できる。また、このような郵便受箱２を備える郵便受け１において、郵便受箱２の周囲の環境情報を正確に検出でき、この検出した環境情報を郵便受箱２の外部の機器で有効に利用できる。
【００５２】
また、本実施形態の郵便受け１は、以下の付加的な構成を有している。郵便受箱２の底部において少なくとも露出部３１に対応する部分が、合成樹脂製である。
【００５３】
この構成を有する郵便受け１は、センサ４２を郵便受箱２に取り付けるための収納部分や開口部を、樹脂成形によって簡単に形成できる。
【００５４】
また、本実施形態のセンサ利用システムは、以下の構成を有している。郵便受け１と、郵便受け１から離れた位置で用いられる外部機器（携帯端末６）とを具備する。郵便受け１は、郵便受箱２と、センサ４２と、第１通信部５１とを備える。センサ４２は、郵便受箱２に取り付けられ、郵便受箱２の周囲の環境情報を検出する。第１通信部５１は、センサ４２で検出した環境情報を郵便受箱２の外部に送信する。外部機器は、第１通信部５１から送信された環境情報を受信する第２通信部７２を有する。外部機器は第２通信部７２で受信した環境情報に基づいて処理を実行する機器である。郵便受箱２の下面は、郵便受箱２の設置状態において外部に露出する露出部３１を含む。センサ４２が露出部３１に取り付けられる。
【００５５】
この構成を有するセンサ利用システムは、センサ４２が郵便受箱２の露出部３１に設けられるため、センサ４２を用いて、郵便受箱２の周囲の屋外の環境情報を正確に検出できる。また、センサ４２は、郵便受箱２の下面に取り付けられるため、日光や雨等の影響を受け難く、この点でも郵便受箱２の周囲の環境情報を正確に検出できる。また、センサ４２で検出された環境情報は、第１通信部５１から送信され、外部機器の第２通信部７２によって受信される。このため、外部機器は、センサ４２で検出された環境情報に基づいて処理を実行でき、センサ４２で検出した環境情報を外部機器で有効に利用できる。
【００５６】
なお、本実施形態の郵便受け１及びセンサ利用システムは、本発明の趣旨を逸脱しない範囲で適宜設計変更可能である。
【符号の説明】
【００５７】
１  郵便受け  
２  郵便受箱
２５  埋込部
２６  突出部
２７  底部
２８  嵌込溝（取付部）
３１  露出部
４２  センサ
５１  第１通信部（通信部）
６  携帯端末（外部機器）
７２  第２通信部
９  門柱（設置部）
【図１】
0006688987.tif 000002
【図２】
0006688987.tif 000003
【図３】
0006688987.tif 000004
【図４】
0006688987.tif 000005
【図５】
0006688987.tif 000006